(57)【特許請求の範囲】
【請求項１】
環状突部を備えた中具及び該環状突部に係合するインナーキャップを備えたキャップからなる化粧料容器であって、該インナーキャップは他の部分より肉厚とした上部肉厚部及び下部肉厚部を環状に設けるとともに該上部肉厚部及び下部肉厚部の間に弾性力のある弾性部を設け、該弾性部は上記中具が上記キャップに嵌合される際に上記環状突部と気密に密着するために変形され、上記下部肉厚部は断続的に設けられ上記キャップが上記中具から脱落するのを防止する第一のストッパとして作用し、上記上部肉厚部は無端状に設けられ上記中具が上記キャップへ過度に挿入されるのを防止する第二のストッパとして作用することを特徴とする化粧料容器。
【請求項２】
請求項１記載の化粧料容器において、上記下部肉厚部はインナーキャップの外周に環状に設けられる帯状部と、該帯状部の間に点状に設けられる点状部とからなることを特徴とする化粧料容器。
【請求項３】
請求項２記載の化粧料容器において、上記点状部を帯状部の間に複数個配設することを特徴とする化粧料容器。
【請求項４】
請求項２記載の化粧料容器において、上記点状部を帯状部の間に１個設けることを特徴とする化粧料容器。
【請求項５】
請求項１記載の化粧料容器において、上記下部肉厚部はインナーキャップの外周に環状に設けられる帯状部と、該帯状部を連結する帯状部より細い連結リブとからなることを特徴とする化粧料容器。
【請求項６】
請求項５記載の化粧料容器において、上記連結リブを帯状部の間に複数個配設することを特徴とする化粧料容器。
【請求項７】
請求項５記載の化粧料容器において、上記連結リブを帯状部の間に１個設けることを特徴とする化粧料容器。
【請求項８】
請求項１記載の化粧料容器において、上記下部肉厚部はインナーキャップの外周に環状に設けられる帯状部と、該帯状部を連結する帯状部と同幅の連結部とからなることを特徴とする化粧料容器。
【請求項９】
請求項８記載の化粧料容器において、上記連結部は下部が傾斜状に切欠したことを特徴とする化粧料容器。
【請求項１０】
請求項８記載の化粧料容器において、上記連結部は下部が弯曲状に切欠したことを特徴とする化粧料容器。
【請求項１１】
請求項８記載の化粧料容器において、上記連結部は下部がＳ字状に切欠したことを特徴とする化粧料容器。
【請求項１２】
請求項５記載の化粧料容器において、上記連結リブの上方及び下方にリブを設けたことを特徴とする化粧料容器。
【請求項１３】
請求項８記載の化粧料容器において、上記連結部の上方及び下方にリブを設けたことを特徴とする化粧料容器。
【請求項１４】
請求項１記載の化粧料容器において、上記弾性部は中央部分のみ若干肉薄にすることを特徴とする化粧料容器。
【請求項１５】
請求項１記載の化粧料容器において、上記下部肉厚部より下端部まで突条部が形成されることを特徴とする化粧料容器。
【請求項１６】
環状突部を備えた中具及び該環状突部に係合するインナーキャップを備えたキャップからなる化粧料容器であって、該インナーキャップは他の部分より肉厚とした上部肉厚部及び下部肉厚部を環状に設けるとともに該上部肉厚部及び下部肉厚部の間に弾性力のある弾性部を設け、該弾性部は上記中具が上記キャップに嵌合される際に上記環状突部と気密に密着するために変形され、上記下部肉厚部は横断面波動状に形成され上記キャップが上記中具から脱落するのを防止する第一のストッパとして作用し、上記上部肉厚部は無端状に設けられ上記中具が上記キャップへ過度に挿入されるのを防止する第二のストッパとして作用することを特徴とする化粧料容器。
【請求項１７】
請求項１６記載の化粧料容器において、上記下部肉厚部は横断面の外郭線が同一周期のわん曲線として形成されることを特徴とする化粧料容器。
【請求項１８】
請求項１６記載の化粧料容器において、上記下部肉厚部は横断面の外郭線が同一周期の屈曲線として形成されることを特徴とする化粧料容器。
【請求項１９】
請求項１６記載の化粧料容器において、上記下部肉厚部は横断面の外郭線が同一形状の弧の連続線として形成されることを特徴とする化粧料容器。
【請求項２０】
請求項１６記載の化粧料容器において、上記下部肉厚部より下端部まで突条部が形成されることを特徴とする化粧料容器。
【請求項２１】
請求項２０記載の化粧料容器において、上記突状部が山部より設けられることを特徴とする化粧料容器。
【請求項２２】
請求項２０記載の化粧料容器において、上記突状部が谷部より設けられることを特徴とする化粧料容器。
【請求項２３】
環状突部を備えた中具及び該環状突部に係合するインナーキャップを備えたキャップからなる化粧料容器であって、該インナーキャップは他の部分より肉厚とした上部肉厚部及び下部肉厚部を環状に設けるとともに該上部肉厚部及び下部肉厚部の間に弾性力のある弾性部を設け、該弾性部は上記中具が上記キャップに嵌合される際に上記環状突部と気密に密着するために変形され、上記下部肉厚部より下端部まで突条部が形成され、上記下部肉厚部は横断面円形状に形成され上記キャップが上記中具から脱落するのを防止する第一のストッパとして作用し、上記上部肉厚部は無端状に設けられ上記中具が上記キャップへ過度に挿入されるのを防止する第二のストッパとして作用することを特徴とする化粧料容器。
【請求項２４】
請求項１６又は請求項２３記載の化粧料容器において、上記下部肉厚部が無端状に設けられることを特徴とする化粧料容器。
【請求項２５】
請求項１６又は請求項２３記載の化粧料容器において、上記下部肉厚部が断続的に設けられることを特徴とする化粧料容器。
【請求項２６】
請求項２５記載の化粧料容器において、上記下部肉厚部はインナーキャップの外周に環状に設けられる帯状部と、該帯状部の間に点状に設けられる点状部とからなることを特徴とする化粧料容器。
【請求項２７】
請求項２６記載の化粧料容器において、上記点状部を帯状部の間に複数個配設することを特徴とする化粧料容器。
【請求項２８】
請求項２６記載の化粧料容器において、上記点状部を帯状部の間に１個設けることを特徴とする化粧料容器。
【請求項２９】
請求項２５記載の化粧料容器において、上記下部肉厚部はインナーキャップの外周に環状に設けられる帯状部と、該帯状部を連結する帯状部より細い連結リブとからなることを特徴とする化粧料容器。
【請求項３０】
請求項２９記載の化粧料容器において、上記連結リブを帯状部の間に複数個設けることを特徴とする化粧料容器。
【請求項３１】
請求項２９記載の化粧料容器において、上記連結リブを帯状部の間に１個設けることを特徴とする化粧料容器。
【請求項３２】
請求項２５記載の化粧料容器において、上記下部肉厚部はインナーキャップの外周に環状に設けられる帯状部と、該帯状部を連結する帯状部と同幅の連結部とからなることを特徴とする化粧料容器。
【請求項３３】
請求項３２記載の化粧料容器において、上記連結部は下部が傾斜状に切欠したことを特徴とする化粧料容器。
【請求項３４】
請求項３２記載の化粧料容器において、上記連結部は下部が弯曲状に切欠したことを特徴とする化粧料容器。
【請求項３５】
請求項３２記載の化粧料容器において、上記連結部は下部がＳ字状に切欠したことを特徴とする化粧料容器。
【請求項３６】
請求項２９記載の化粧料容器において、上記連結リブの上方及び下方にリブを設けたことを特徴とする化粧料容器。
【請求項３７】
請求項３２記載の化粧料容器において、上記連結部の上方及び下方にリブを設けたことを特徴とする化粧料容器。
【請求項３８】
請求項１６又は請求項２３記載の化粧料容器において、上記弾性部は中央部分のみ若干肉薄にすることを特徴とする化粧料容器。
【発明の詳細な説明】
【０００１】
【発明の属する技術分野】
本願発明は口紅容器のような化粧料容器に関し、とくに容器本体に嵌合するキャップの内側にインナーキャップを備えた化粧料容器に関する。
【０００２】
【従来の技術】
従来の化粧料容器は回転する操作筒体の上端部に一体に固着する中具を有する。中具は、固定した本体に対し回転しつつ固定した本体を支える。口紅を収容する化粧料ホルダは垂直方向にスライドして本体内に収容される。そして中具の上部に環状突部を設け、この環状突部に対応する環状凹部をインナーキャップに設け、両者を嵌合する。
【０００３】
しかしこれによると、中具の環状突部とインナーキャップの環状凹部の位置合せがむずかしくズレを生じることがある。即ち、インナーキャップのキャップへの挿入は組立においてばら付くことがあるためである。
【０００４】
また、インナーキャップの環状凹部の成形は難しいという問題があった。即ち、成形条件によりインナーキャップの全長が長くなったり短くなったりすることがあり、このような場合、環状凹部の寸法も区々となり、容器の気密性に悪影響を及ぼすのである。また環状凹部は非常に小さい溝からなるため成形条件によってはバリを生ずる。さらにインナーキャップの端面から短い距離に環状凹部を設けるとキャップが容器から遊離（いわゆる「浮き」）し易く、反対にこの距離が長いとキャップが容器に入り込み過ぎ、いずれにしても良好な嵌合状態を得ることができない。また容器の浮きが生ずると、容器の気密性は不良となる。最近の化粧料は揮発性の物質からなる成分（揮発性成分）が多く、閉蓋が完全になされないと変質の原因となる。
【０００５】
また従来、容器の気密性の保持を優先すると応々にしてキャップ嵌合における円滑性を犠牲にすることが多かった。
【０００６】
【発明が解決しようとする課題】
よって、本願発明の目的は従来の化粧料容器の欠点を解消することである。
【０００７】
本願発明の他の目的は、キャップ嵌合時の気密性に優れた新しい構造の化粧料容器を供することである。
【０００８】
また、従来両立するのが困難であった容器の気密性の保持とキャップ嵌合における円滑性を同時に達成する容器を供することを目的とする。
【０００９】
【課題を解決するための手段】
上記目的達成のため、本願発明による化粧料容器は、環状突部を備えた中具及び該環状突部に係合するインナーキャップを備えたキャップからなる化粧料容器であって、該インナーキャップは他の部分より肉厚とした上部肉厚部及び下部肉厚部を環状に設けるとともに該上部肉厚部及び下部肉厚部の間に弾性力のある弾性部を設け、該弾性部は上記中具が上記キャップに嵌合される際に上記環状突部と気密に密着するために変形され、上記下部肉厚部は断続的に設けられ上記キャップが上記中具から脱落するのを防止する第一のストッパとして作用し、上記上部肉厚部は無端状に設けられ上記中具が上記キャップへ過度に挿入されるのを防止する第二のストッパとして作用することを特徴とする。
また、請求項１記載の化粧料容器において、上記下部肉厚部はインナーキャップの外周に環状に設けられる帯状部と、該帯状部の間に点状に設けられる点状部とからなることを特徴とする。
また、請求項２記載の化粧料容器において、上記点状部を帯状部の間に複数個配設することを特徴とする。
また、請求項２記載の化粧料容器において、上記点状部を帯状部の間に１個設けることを特徴とする。
また、請求項１記載の化粧料容器において、上記下部肉厚部はインナーキャップの外周に環状に設けられる帯状部と、該帯状部を連結する帯状部より細い連結リブとからなることを特徴とする。
また、請求項５記載の化粧料容器において、上記連結リブを帯状部の間に複数個配設することを特徴とする。
また、請求項５記載の化粧料容器において、上記連結リブを帯状部の間に１個設けることを特徴とする。
また、請求項１記載の化粧料容器において、上記下部肉厚部はインナーキャップの外周に環状に設けられる帯状部と、該帯状部を連結する帯状部と同幅の連結部とからなることを特徴とする。
また、請求項８記載の化粧料容器において、上記連結部は下部が傾斜状に切欠したことを特徴とする。
また、請求項８記載の化粧料容器において、上記連結部は下部が弯曲状に切欠したことを特徴とする。
また、請求項８記載の化粧料容器において、上記連結部は下部がＳ字状に切欠したことを特徴とする。
また、請求項５記載の化粧料容器において、上記連結リブの上方及び下方にリブを設けたことを特徴とする。
また、請求項８記載の化粧料容器において、上記連結部の上方及び下方にリブを設けたことを特徴とする。
また、請求項１記載の化粧料容器において、上記弾性部は中央部分のみ若干肉薄にすることを特徴とする。
また、請求項１記載の化粧料容器において、上記下部肉厚部より下端部まで突条部が形成されることを特徴とする。
また、環状突部を備えた中具及び該環状突部に係合するインナーキャップを備えたキャップからなる化粧料容器であって、該インナーキャップは他の部分より肉厚とした上部肉厚部及び下部肉厚部を環状に設けるとともに該上部肉厚部及び下部肉厚部の間に弾性力のある弾性部を設け、該弾性部は上記中具が上記キャップに嵌合される際に上記環状突部と気密に密着するために変形され、上記下部肉厚部は横断面波動状に形成され上記キャップが上記中具から脱落するのを防止する第一のストッパとして作用し、上記上部肉厚部は無端状に設けられ上記中具が上記キャップへ過度に挿入されるのを防止する第二のストッパとして作用することを特徴とする。
また、請求項１６記載の化粧料容器において、上記下部肉厚部は横断面の外郭線が同一周期のわん曲線として形成されることを特徴とする。
また、請求項１６記載の化粧料容器において、上記下部肉厚部は横断面の外郭線が同一周期の屈曲線として形成されることを特徴とする。
また、請求項１６記載の化粧料容器において、上記下部肉厚部は横断面の外郭線が同一形状の弧の連続線として形成されることを特徴とする。
また、請求項１６記載の化粧料容器において、上記下部肉厚部より下端部まで突条部が形成されることを特徴とする。
また、請求項２０記載の化粧料容器において、上記突状部が山部より設けられることを特徴とする。
また、請求項２０記載の化粧料容器において、上記突状部が谷部より設けられることを特徴とする。
また、環状突部を備えた中具及び該環状突部に係合するインナーキャップを備えたキャップからなる化粧料容器であって、該インナーキャップは他の部分より肉厚とした上部肉厚部及び下部肉厚部を環状に設けるとともに該上部肉厚部及び下部肉厚部の間に弾性力のある弾性部を設け、該弾性部は上記中具が上記キャップに嵌合される際に上記環状突部と気密に密着するために変形され、上記下部肉厚部より下端部まで突条部が形成され、上記下部肉厚部は横断面円形状に形成され上記キャップが上記中具から脱落するのを防止する第一のストッパとして作用し、上記上部肉厚部は無端状に設けられ上記中具が上記キャップへ過度に挿入されるのを防止する第二のストッパとして作用することを特徴とする。
また、請求項１６又は請求項２３記載の化粧料容器において、上記下部肉厚部が無端状に設けられることを特徴とする。
また、請求項１６又は請求項２３記載の化粧料容器において、上記下部肉厚部が断続的に設けられることを特徴とする。
また、請求項２５記載の化粧料容器において、上記下部肉厚部はインナーキャップの外周に環状に設けられる帯状部と、該帯状部の間に点状に設けられる点状部とからなることを特徴とする。
また、請求項２６記載の化粧料容器において、上記点状部を帯状部の間に複数個配設することを特徴とする。
また、請求項２６記載の化粧料容器において、上記点状部を帯状部の間に１個設けることを特徴とする。
また、請求項２５記載の化粧料容器において、上記下部肉厚部はインナーキャップの外周に環状に設けられる帯状部と、該帯状部を連結する帯状部より細い連結リブとからなることを特徴とする。
また、請求項２９記載の化粧料容器において、上記連結リブを帯状部の間に複数個設けることを特徴とする。
また、請求項２９記載の化粧料容器において、上記連結リブを帯状部の間に１個設けることを特徴とする。
また、請求項２５記載の化粧料容器において、上記下部肉厚部はインナーキャップの外周に環状に設けられる帯状部と、該帯状部を連結する帯状部と同幅の連結部とからなることを特徴とする。
また、請求項３２記載の化粧料容器において、上記連結部は下部が傾斜状に切欠したことを特徴とする。
また、請求項３２記載の化粧料容器において、上記連結部は下部が弯曲状に切欠したことを特徴とする。
また、請求項３２記載の化粧料容器において、上記連結部は下部がＳ字状に切欠したことを特徴とする。
また、請求項２９記載の化粧料容器において、上記連結リブの上方及び下方にリブを設けたことを特徴とする。
また、請求項３２記載の化粧料容器において、上記連結部の上方及び下方にリブを設けたことを特徴とする。
また、請求項１６又は請求項２３記載の化粧料容器において、上記弾性部は中央部分のみ若干肉薄にすることを特徴とする。
【００１０】
【発明の実施の形態】
図１及び図２は本願発明による化粧料容器の第一の実施形態を示す。図１及び図２において、片側は軸状の第１の垂直面に沿って切断され、もう片側は第１の面と直交する第２の垂直面に沿って切断されており、図１は不完全に蓋をした状態、図２は完全に蓋をした状態である。化粧料容器１０は、固定した本体１と、本体１に摺嵌され口紅のような棒状の化粧料（図示省略）を収容する化粧料ホルダ３と、本体１を収容する回転可能な操作筒体４と、操作筒体４の周囲に一体に嵌着するケーシング９と、操作筒体４の上端部の上に一体に嵌着される中具７と、該中具７の上に機械的に適合可能なキャップ１１とからなる。本体１は軸方向に沿って向い合う一対の長孔２を有する。該長孔２を通して化粧料ホルダ３の外周壁に突設した向い合う一対の係合突起６、６を操作筒体４の内面に螺旋状に設けた螺旋溝５に係合する。このようにして固定した本体１内にある化粧料ホルダ３は操作筒体４及びケーシング９の回転により昇降自在となっている。上記中具７は上部に無端状の環状突部８を有する。
【００１１】
キャップ１１は内側に樹脂製のインナーキャップ１２を備える。該インナーキャップ１２は内周面を実質上断面円形に形成し、上記キャップ１１に頂上部１３及び先端部１４にて固着される。該先端部１４は弾力性をもたせるため外側に拡開してある。上記インナーキャップ１２の外周壁には下部肉厚部１６と上部肉厚部１７を間隔を空けて上記環状突部８の突出方向に突設し、両者の間に弾性部１５を形成する。本実施の形態においては、下部肉厚部１６、上部肉厚部１７は平らな内周面と実質上断面方形状の外側突起部とにより形成される。上部肉厚部１７は無端状に設けられる。インナーキャップ１２の下部肉厚部１６の下方に位置する部分の内周壁の全周にはぎざぎざした内面１８を形成する。
【００１２】
図３以下に基づき上記下部肉厚部１６の構成を詳しく説明する。図３は本願発明の第１実施例を示し、上記下部肉厚部１６はインナーキャップ１２の外周を３等分したところに環状に設けられる３本の帯状部１６１と、該帯状部１６１の間に点状に３個ずつ設けられる点状部１６２とからなる。上記点状部１６２は帯状部１６１より小の高さとされ、右肩上がりに直線上に配設される。また上記弾性部１５は、厚さを上部肉厚部１７の直上の部分と同厚程度とするが、外周面の中央部分のみ若干肉薄に形成する。
【００１３】
図４及び図５は図３の変形例を示す。図４は３個の点状部１６２を帯状部１６１と同じ高さに形成した場合であり、その余の構成は図３の場合と同様である。図５は点状部１６２の形成を帯状部１６１の間に各１個とした場合であり、その余の構成は図３の場合と同様である。
【００１４】
上記した第１の実施の形態において、キャップ１１が中具７に嵌合する際、環状突部８は当初、図１（Ｂ）に最も良く示すように、インナーキャップ１２のぎざぎざした内面１８に接触している。その後キャップ１１へ下方向の力Ｆが加わると、図２（Ｂ）に示すように、下部肉厚部１６が中具７の環状突部８を乗り越える。この状態で、即ち、環状突部８を上下から挟んだ状態で、インナーキャップ１２が停止したとき、弾性変形力の大なる弾性部１５が中具７の環状突部８に密着するのである。よって、容器１０の気密性が確実となり、とくに揮発性成分の多い化粧料の変質の防止に効果がある。上部肉厚部１７も弾性変形力が小であるため、嵌合の際の中具７の下方への過度の押圧を抑止するストッパ効果がある。下部肉厚部１６はインナーキャップ１２が不用意に脱落するのを防ぐストッパ効果がある。そして弾性部１５は、成形条件による寸法の変動がない略ストレートの管状に形成されているため、インナーキャップ１２のキャップ１１への組立てにおいて多少のばら付きがあったとしても、図２（Ｂ）に示すように、環状突部８との嵌合時に位置合わせがずれるというおそれがない。
【００１５】
この点をさらに詳しく説明する。下部肉厚部１６が中具７の環状突部８を乗り越えるとき、インナーキャップ１２には拡開に伴う大なる力が加わる。しかし、下部肉厚部１６は断続状に設置されているため外側に広がり易く、これによりインナーキャップ１２が拡開するときの力を分散吸収するとともに、上記乗り越えるときの力Ｆも小さくて済むのである。よって、従来キャップ１１の嵌合時に生じていた反嵌合方向の力、即ち、押し戻されるような力を生ぜず、キャップ１１の嵌合を違和感なく円滑に行なうことができる。また、帯状部１６１の間には点状部１６２が点状に存在するため、キャップ１１が嵌合した後のインナーキャップ１２の復元も迅速かつ円滑となる。よって、この面からも容器の気密性保持に資する。さらに弾性部１５は中央部分のみ若干肉薄に形成されているため、嵌合に際しこの肉薄部の上下の部分が各々上下方向に広がり易くなって嵌合がさらに容易となる。また嵌合後は弾性部１５の復元が迅速となるため、環状突部８との密着性がさらに増大し、容器の気密性保持に資するのである。
【００１６】
また、インナーキャップ１２は内周面を実質上断面円形に形成するとともに、下部肉厚部１６と上部肉厚部１７との間（弾性部１５）に縦方向の距離が長く形成されるから、中具７の環状突部８の上下方向の位置ズレを吸収し、中具７とインナーキャップ１２との位置合わせが非常に容易となる。よって、従来生じていたキャップ１１が容器に対して遊離してしまういわゆる「浮き」の現象を防止し、容器の気密性が保持されるのである。
【００１７】
また、インナーキャップ１２の下部肉厚部１６が断続状に設置されているため、中具７とインナーキャップ１２との気密性（即ち、容器の気密性）が中具７の環状突部８の径の大小に影響されず、各部品の寸法許容性が大となる。けだし、インナーキャップ１２の下部肉厚部１６を無端状に形成した場合において、中具７の環状突部８が径大であると下部肉厚部１６の乗り越え力Ｆが大となり、キャップ嵌合時の円滑な着脱ができない。一方中具７の環状突部８が径小であると下部肉厚部１６の乗り越え力Ｆが小となり、キャップ嵌合が不能となるからである。
【００１８】
さらに、上記した第１の実施の形態の場合、下部肉厚部１６に点状部１６２が介在するため帯状部１６１間の隙間が大となり、このため、インナーキャップ１２の拡開時の力をより分散吸収し易くなり、嵌合がより円滑に行われる。また容器の気密性に関しても、図４の場合は嵌合後点状部１６２がキャップ１１の内周面に密着するため、一層良好となる。
【００１９】
図６は本願発明の第１の実施の形態の他の実施例を示す。下部肉厚部１６はインナーキャップ１２の外周を３等分したところに環状に設けられる３個の帯状部１６１と、該帯状部１６１を連結する帯状部１６１より細い半球状の連結リブ１６３とからなる。上記連結リブ１６３は帯状部１６１より小の高さに形成される。連結リブ１６３の上方及び下方の近傍には半球状のリブ１６４を連結リブ１６３に平行に設ける。本実施例のその余の構成は図３の場合と同様である。
【００２０】
図７は図６の変形例を示し、連結リブ１６３及びリブ１６４を帯状部１６１と同じ高さに形成した場合であり、その余の構成は図３の場合と同様である。
【００２１】
よって、この実施例においても前記と同様の作用、効果を奏する。例えば、下部肉厚部１６は帯状部１６１が断続的に設けられるため、インナーキャップ１２が拡開し易くなる。また連結リブ１６３の上方及び下方の近傍にリブ１６４を設けてあるので気密性も良好となる。とくに上方のリブ１６４に関しては中具７の環状突部８の上下方向の位置ズレの吸収に資する。
【００２２】
図８は本願発明の第１の実施の形態のさらに他の実施例を示す。下部肉厚部１６はインナーキャップ１２の外周を３等分したところに環状に設けられる３個の帯状部１６１と、該帯状部１６１を連結する連結部１６５とからなる。該連結部１６５は帯状部１６１と同幅かつ同高であって、下部１６５ａを傾斜状に切欠して形成される。連結部１６５の上方及び下方には半球状のリブ１６４を連結部１６５に平行に設ける。本実施の形態のその余の構成は図３の場合と同様である。
【００２３】
図９及び図１０は図８の連結部１６５の形状を変形した場合を示す。図９は連結部１６５の下部１６５ｂを弯曲状に切欠した場合である。図１０は連結部１６５の下部１６５ｃをＳ字状に切欠した場合である。その余の構成は図８の場合と同様である。
【００２４】
よって、この実施例においても前記と同様の作用、効果を奏する。この場合はとくに、連結部１６５の下部に設けた切欠部１６５ａ、１６５ｂ、１６５ｃは、中具７の環状突部８が嵌合に際し当接するとき、上部１６５’が少し内側（中具７側）に下部１６５ａ、１６５ｂ、１６５ｃが少し外側に倒れ易くなるため、下部肉厚部１６が環状突部８を乗り越えるときの力Ｆも小さくて済むのである。よって嵌合が円滑に行われる。また連結部１６５は帯状部１６１と同高であるので、容器の気密性に関しても、嵌合後連結部１６５がキャップ１１の内周面に密着するため、一層良好となる。
【００２５】
図１１乃至図１５は本願発明による化粧料容器の第二の実施の形態を示す。この場合、下部肉厚部１６は横断面が波動状に形成される。図１１は、その（Ｄ）に最もよく示すように、波動状面を横断面の外郭線１６ａが同一周期のわん曲線として形成される場合である。この場合、下部肉厚部１６は無端状に設けられている。下部肉厚部１６は、また、図１１（Ｅ）に最もよく示すように縦断面１６ｂが弧状に形成されている。
【００２６】
図１２は図１１の変形例を示す。即ち、下部肉厚部１６の波動状面には、横断面の外郭線１６ａの一部に直線状の部分１６ｃが含まれていてもよい。
【００２７】
図１３は、下部肉厚部１６の波動状面を横断面の外郭線１６ｄが同一周期の屈曲線として形成される場合である。
【００２８】
図１４は、下部肉厚部１６の波動状面を横断面の外郭線１６ｅが同一形状の弧の連続線として形成される場合である。
【００２９】
これらの場合、図１５に示すように、横断面波動状の下部肉厚部１６より下端部１９まで複数の突条部１６６を設けることとしてもよい（図１５（Ａ）。この場合、該突条部１６６は波動状面の山部１６ｍより発してもよいし（図１５（Ｄ））、谷部１６ｎより発してもよい。
【００３０】
上記図１１乃至図１５いずれの実施例もその余の構成は第一の実施の形態の場合と同様である。
【００３１】
第二の実施の形態の場合、下部肉厚部１６が横断面波動状に形成されているため、無端状に設けられているにもかかわらず、インナーキャップ１２の挿入において下部肉厚部１６が外側に広がり易くなり、これによりインナーキャップ１２が拡開するときの力を分散吸収するとともに、上記乗り越えるときの力Ｆも小さくて済むのである。よって、キャップ１１の嵌合を違和感なく円滑に行なうことができる。また下部肉厚部１６が無端状に連続して設けられているため、キャップ１１が嵌合した後のインナーキャップ１２の復元も迅速かつ円滑となる。よって容器の気密性保持に資する。また下部肉厚部１６より下方に縦方向の突条部１６６を設けた場合、下部肉厚部１６の高さにかかわらず、容器へのキャップ１１の嵌合状態を良好に保つことができる。このためキャップ１１の脱離を防止することができ、また容器の気密性も一層向上する効果がある。
【００３２】
第二の実施の形態において、弾性部１５の構成を中央部分のみ若干肉薄に形成すれば、第一の実施の形態で述べたように嵌合がさらに容易となる。また嵌合後は弾性部１５の復元が迅速となるため、環状突部８との密着性がさらに増大し、容器の気密性保持に資する。また、インナーキャップ１２は内周面を実質上断面円形に形成するとともに、下部肉厚部１６と上部肉厚部１７との間（弾性部１５）に縦方向の距離が長く形成されるから、第一の実施の形態で述べたように中具７とインナーキャップ１２との位置合わせが非常に容易となり、「浮き」の現象を防止し、容器の気密性が保持される。
【００３３】
第二の実施の形態においても、第一の実施の形態同様、下部肉厚部１６を断続的に設けることもできる。この場合は前記した図１乃至図１０の実施例にならうことになるので、図示及び説明は省略する。
【００３４】
図１６乃至図１８は本願発明による化粧料容器の第三の実施の形態を示す。この場合、下部肉厚部１６より下端部まで複数の突条部１６６を設ける。下部肉厚部１６の横断面は円形状となっている。本実施例のその余の構成は第二の実施の形態（図１５）の場合と同様である。
【００３５】
図１７及び図１８は図１６の変形例を示す。図１７の場合、下部肉厚部１６は横断面が円形状に形成されるとともに、３個の部分に断続的に分割されている。図１８の場合、下部肉厚部１６は多くの部分に分断されている。
【００３６】
よって、第三の実施の形態においても前記と同様の作用、効果を奏する。例えば、下部肉厚部１６より下方に縦方向の突条部１６６を設けてあるから、下部肉厚部１６の高さにかかわらず、容器へのキャップ１１の嵌合状態を良好に保つことができる。このためキャップ１１の脱離を防止することができ、また容器の気密性も一層向上する効果がある。また下部肉厚部１６を無端状に連続して設けた場合には、キャップ１１が嵌合した後のインナーキャップ１２の復元も迅速かつ円滑となる。よって容器の気密性保持に資する。また下部肉厚部１６を断続的に設けられた場合には、インナーキャップ１２が拡開し易くなる。
【００３７】
本願発明の望ましい実施の形態を添付図面に関連して詳説してきたが、特許請求の範囲で定めた発明の精神に反することなく変更や修正が数多くなされうる。
【００３８】
例えば、下部肉厚部１６を断続的に設ける場合、その個数は任意であり、また分割を等分にするか不等分にするかは任意である。
【００３９】
点状部１６２又は連結リブ１６３の個数、高さ、配設の態様については任意である。
【００４０】
またリブ１６４を設けない場合も考えられる。
【００４１】
インナーキャップ１２の下部肉厚部１６、上部肉厚部１７の縦断面形状は任意であるが、図示した如き断面方形状とすれば、上下の肉厚部１６、１７のキャップ１１の内周壁への接触面積が増大するので、容器の気密性向上の上から一層望ましい。
【００４２】
弾性部１５は弾性力が付与されるようなものであれば、その形状又は肉厚の程度は任意である。例えば、弾性部１５全体を上部肉厚部１７の直上の部分より薄くしてもよく、また弾性部１５全体を上部肉厚部１７の直上の部分より厚くしてもよい。
【００４３】
突条部１６６の設置に関し、第一の実施の形態による下部肉厚部１６に突条部１６６を設置することとしてもよい。
【００４４】
インナーキャップ１２の形状は、弾性部１５が上部肉厚部１７と下部肉厚部１６との間に形成されさえすれば、その余の形状は任意である。例えば、インナーキャップ１２の上部肉厚部１７の上方に位置する部分の内周面の肉厚を厚く形成してもよい。この場合は、キャップ嵌合時に中具７の上端部に接触するから、容器１０の気密性の一層の向上を図ることができる。また、インナーキャップ１２の下方に位置する部分の肉厚を薄くすることにより、キャップ嵌合を容易にすることができる。
【００４５】
中具７の環状突部８の形状は任意である。また、中具７の環状突部８の個数は任意である。環状突部は複数設けてもよい。かかる場合、キャップ嵌合時に、図示しない下部の環状突部はインナーキャップ１２の弾性部１５に係合し、一方図示しない上部の環状突部は上部肉厚部１７の上方に位置することになる。換言すれば、下部肉厚部１６、下部の環状突部、上部肉厚部１７、上部の環状突部とジグザグに密接するので、容器が二重の気密となり一層望ましい。
【００４６】
本願発明による化粧料容器は一般には円筒形状であるが、容器の形状、大きさ、材質は問わない。本願発明による化粧料容器は特に口紅容器として使用されるが、揮発性成分の有無に関わらず、あらゆる化粧料に使用してもよい。
【００４７】
【発明の効果】
このように、本願発明による化粧料容器によれば、キャップ嵌合時の容器の気密性を向上せしめることができる。また容器の気密性の保持とキャップ嵌合における円滑性を同時に達成することができる。
【図面の簡単な説明】
【図１】本願発明による化粧料容器の第一実施の形態を示し、不完全に蓋をした状態であり、（Ｂ）は（Ａ）のＡ部分の拡大図である。
【図２】本願発明による化粧料容器の第一実施の形態を示し、完全に蓋をした状態であり、（Ｂ）は（Ａ）のＢ部分の拡大図である。
【図３】図１のインナーキャップを示し、（Ａ）は一部を切断した状態の正面図、（Ｂ）は（Ａ）のＢ−Ｂ断面図、Ｃは（Ａ）のＣ−Ｃ断面図、Ｄは（Ａ）のＤ−Ｄ断面図、（Ｅ）は（Ａ）のＥ部分の拡大図、（Ｆ）は（Ｂ）のＦ部分の拡大図である。
【図４】図３の変形例を示し、（Ａ）は正面中央縦断面図、（Ｂ）は（Ａ）のＢ部分の拡大図である。
【図５】図３のさらに別の変形例を示し、（Ａ）は一部を切断した状態の正面図、（Ｂ）は（Ａ）のＢ−Ｂ断面図、（Ｃ）は（Ｂ）のＣ部分の拡大図である。
【図６】本願発明による第一実施の形態の他の実施例を示し、（Ａ）は一部を切断した状態の正面図、（Ｂ）は（Ａ）のＢ−Ｂ断面図、Ｃは（Ａ）のＣ−Ｃ断面図、Ｄは（Ａ）のＤ−Ｄ断面図、（Ｅ）は（Ｂ）のＥ部分の拡大図である。
【図７】図６の変形例を示し、（Ａ）は正面中央縦断面図、（Ｂ）は（Ａ）のＢ部分の拡大図である。
【図８】本願発明による第一実施の形態のさらに他の実施例を示し、（Ａ）は一部を切断した状態の正面図、（Ｂ）は（Ａ）のＢ−Ｂ断面図、Ｃは（Ａ）のＣ−Ｃ断面図、Ｄは（Ａ）のＤ−Ｄ断面図、（Ｅ）は（Ｂ）のＥ部分の拡大図、（Ｆ）は嵌合時のＥ部分の拡大図である。
【図９】図８の変形例を示し、（Ａ）は正面中央縦断面図、（Ｂ）は（Ａ）のＢ部分の拡大図、（Ｃ）は嵌合時のＢ部分の拡大図である。
【図１０】図８のさらに別の変形例を示し、（Ａ）は正面中央縦断面図、（Ｂ）は（Ａ）のＢ部分の拡大図、（Ｃ）は嵌合時のＢ部分の拡大図である。
【図１１】本願発明による化粧料容器の第二実施の形態を示し、（Ａ）は一部を切断した状態の正面図、（Ｂ）は（Ａ）のＢ−Ｂ断面図、（Ｃ）は（Ａ）のＣ部分の拡大図、（Ｄ）は（Ｂ）のＤ部分の拡大図、（Ｅ）は（Ｃ）のＥ部分の拡大図である。
【図１２】図１１の変形例を示し、（Ａ）は一部を切断した状態の正面図、（Ｂ）は（Ａ）のＢ−Ｂ断面図、（Ｃ）は（Ｂ）のＣ部分の拡大図である。
【図１３】図１１の他の変形例を示し、（Ａ）は一部を切断した状態の正面図、（Ｂ）は（Ａ）のＢ−Ｂ断面図、（Ｃ）は（Ｂ）のＣ部分の拡大図である。
【図１４】図１１のさらに他の変形例を示し、（Ａ）は一部を切断した状態の正面図、（Ｂ）は（Ａ）のＢ−Ｂ断面図、（Ｃ）は（Ｂ）のＣ部分の拡大図である。
【図１５】図１１のさらに他の変形例を示し、（Ａ）は一部を切断した状態の正面図、（Ｂ）は（Ａ）のＢ−Ｂ断面図、（Ｃ）は（Ａ）のＣ部分の拡大図、（Ｄ）は（Ｂ）のＤ部分の拡大図、（Ｅ）は（Ｃ）のＥ部分の拡大図である。
【図１６】本願発明による化粧料容器の第三実施の形態の一の実施例を示し、（Ａ）は一部を切断した状態の正面図、（Ｂ）は（Ａ）のＢ−Ｂ断面図である。
【図１７】図１６の変形例を示し、（Ａ）は一部を切断した状態の正面図、（Ｂ）は（Ａ）のＢ−Ｂ断面図である。
【図１８】図１６の他の変形例を示し、（Ａ）は一部を切断した状態の正面図、（Ｂ）は（Ａ）のＢ−Ｂ断面図である。
【符号の説明】
１        本体
２        長孔
３        化粧料ホルダ
４        操作筒体
５        螺旋溝
６        係合突起
７        中具
８        環状突部
８ａ      下部突部
８ｂ      上部突部
９        ケーシング
１０      化粧料容器
１１      キャップ
１２      インナーキャップ
１３      頂上部
１４      先端部
１５      弾性部
１６      下部肉厚部
１６ａ    直線状部分
１６１    帯状部
１６２    点状部
１６３    連結リブ
１６４    リブ
１６５    連結部
１６５ａ  傾斜状切欠部
１６５ｂ  弯曲状切欠部
１６５ｃ  Ｓ字状切欠部
１６６    突条部
１７      上部肉厚部
１８      ぎざぎざの内面
１９      下端部
【図１】
0004780432.tif 000002
【図２】
0004780432.tif 000003
【図３】
0004780432.tif 000004
【図４】
0004780432.tif 000005
【図５】
0004780432.tif 000006
【図６】
0004780432.tif 000007
【図７】
0004780432.tif 000008
【図８】
0004780432.tif 000009
【図９】
0004780432.tif 000010
【図１０】
0004780432.tif 000011
【図１１】
0004780432.tif 000012
【図１２】
0004780432.tif 000013
【図１３】
0004780432.tif 000014
【図１４】
0004780432.tif 000015
【図１５】
0004780432.tif 000016
【図１６】
0004780432.tif 000017
【図１７】
0004780432.tif 000018
【図１８】
0004780432.tif 000019